(57)【要約】【課題】本発明は、スプロケット等への巻き掛け部分に凹溝を配置し、ゴムクローラの外周面を広がろうと作用し、ラグ間に付着した泥を容易に脱落させる。【解決手段】無端状ゴム弾性体の外周面にラグが形成され、当該ラグはゴムクローラ幅方向に伸びる直線状の、連続又は不連続に形成された長ラグと、ゴムクローラ幅方向中央部のみに形成される短ラグとが、ゴムクローラ長手方向に交互に配置されるとともに、長ラグと短ラグの間の外周面に、短ラグの幅方向長さを超えない範囲で、ゴムクロ−ラの幅方向に向けて少なくとも１以上の凹溝を形成したゴムクロ−ラ。１‥ゴム弾性体、５‥スプロケット係合部、６‥スプロケット係合孔、７‥長ラグ、８‥短ラグ、１０‥ゴムクロ−ラの外周面、２０‥凹溝。【選択図】図４
2007131032.tif 000002
【特許請求の範囲】
【請求項１】
無端状ゴム弾性体の外周面にラグが形成され、当該ラグはゴムクローラ幅方向に伸びる直線状の、連続又は不連続に形成された長ラグと、ゴムクローラ幅方向中央部のみに形成される短ラグとが、ゴムクローラ長手方向に交互に配置されるとともに、長ラグと短ラグの間の外周面に、短ラグの幅方向長さを超えない範囲で、ゴムクロ−ラの幅方向に向けて少なくとも１以上の凹溝を形成したことを特徴とするゴムクロ−ラ。
【請求項２】
短ラグの両端と長ラグの前後面とにて囲まれたゴムクロ−ラの外周面を、ゴムクロ−ラの幅端に近づくにつれて順次接地面より高くした請求項１記載のゴムクロ−ラ。
【請求項３】
前記凹溝がラグ根元部に形成した請求項１又は２記載のゴムクロ−ラ。
【請求項４】
前記凹溝の１つ当りのゴムの長手方向の溝幅をｔとし、前記長ラグ及び短ラグの間隔をＴとした時、０．５≧ｔ／Ｔ≧０．１５である請求項１乃至３いずれか１記載のゴムクロ−ラ。
【発明の詳細な説明】
【技術分野】
【０００１】
本発明はゴムクロ−ラに関するものであり、特に言えば、ラグ間に詰まる泥等の落下を促進するゴムクロ−ラに係るものである。
【背景技術】
【０００２】
従来のゴムクロ−ラの外周面にはその目的に応じてラグが備えられるが、湿田や半湿田用に用いられるゴムクロ−ラにはゴムクロ−ラの幅方向に直線状にのびる長短ラグが交互に備えられたものが多い。
【０００３】
後述する図１〜図４にて明らかになるが、ゴムクロ−ラの外周面には幅方向の全長にわたる長ラグと、中央に形成された短ラグとが交互に配備された構造となっており、ゴムクロ−ラの中央域にて機体の重量を支え、左右域にて推進力をもたらしている。
【０００４】
この左右域には短ラグが存在せず、ゴムクロ−ラの外周面に泥土が付着した場合でもラグ間に幅があるため比較的泥土は落ち易く、このためゴムクロ−ラは高度の推進力が発揮される。ただし、中央域は長ラグと短ラグが存在ししかもこのラグ間が狭いため、この間に付着した泥土は落ちにくく推進力の発揮は左程ではない。
【０００５】
このため、中央域に付着した泥土を落とし易くするために長ラグの中央部を切り欠いた形状のものが提案され、中央域における泥土の落下をうながし、より高い推進力を得ようとする試みがある。しかるに、このために新たな課題が発生することも事実であり、例えば、長ラグの中央を分割したことでラグの剛性が少なくなり、かつ長ラグの中央部における摩耗が著しくなるという点である。更に、ゴムクロ−ラの旋回時等に長ラグの中央域の側面での抵抗が増加したため、特に半湿田や乾田での旋回性が低下する傾向にある。
【０００６】
これらの欠点を改良するため、特許文献１が提案されている。この提案は上記したゴムクロ−ラの課題を解決することを目的としたもので、ラグの剛性を確保しつつ中央部の泥の詰まりを少なくし、中央部での長ラグの摩耗を低減させ、かつゴムクロ−ラの旋回性能を向上したゴムクロ−ラを提供しようとするものである。
【０００７】
【特許文献１】特開平１１−２０７５１号公報
【０００８】
かかる特許文献１の技術内容は、ゴムクロ−ラの外周に形成される直線状の長ラグと、中央域に存在する短ラグを交互に配置し、長ラグ中央域の背丈を特定の背丈形状とすることにより目的を達成しようとするものであり、特に湿田等に用いられるゴムクロ−ラのラグの摩耗の低減と旋回性の向上を目指したものである。
【発明の開示】
【発明が解決しようとする課題】
【０００９】
本発明は、従来の技術に更に改良を加え、ラグ間の泥等の詰まりを更になくし、推進力を落とすことのないゴムクロ−ラを提供することを目的とするものである。
【課題を解決するための手段】
【００１０】
本発明の要旨は、無端状ゴム弾性体の外周面にラグが形成され、当該ラグはゴムクローラ幅方向に伸びる直線状の、連続又は不連続に形成された長ラグと、ゴムクローラ幅方向中央部のみに形成される短ラグとが、ゴムクローラ長手方向に交互に配置されるとともに、長ラグと短ラグの間の外周面に、短ラグの幅方向長さを超えない範囲で、ゴムクロ−ラの幅方向に向けて少なくとも１以上の凹溝を形成したことを特徴とするゴムクロ−ラに係るものである。
【００１１】
更に具体的には、前記凹溝の１つ当りのゴムの長手方向の溝幅をｔとし、前記長ラグ及び短ラグの間隔をＴとした時、０．５≧ｔ／Ｔ≧０．１５とするものである。
【発明の効果】
【００１２】
本発明は上記した構成を備えることにより、スプロケット等の巻き掛け部分に位置した凹溝がゴムクローラの外周面が従来のゴムクロ−ラに比較して、広がろうとすることにより、ラグ間に付着した泥を容易に脱落させることができることとなったものであり、これによって本発明の課題を達成することができたものである。
【発明を実施するための最良の形態】
【００１３】
本発明は、ゴムクロ−ラの外周面に備えたラグ間の泥等の詰まりをなくして推進力を得ようとするものであり、ゴムクロ−ラの旋回性能を高めるように構成したものである。特に言えば、このゴムクロ−ラは、短ラグと長ラグとの間に幅方向に向けて凹溝を形成してなるものであり、好ましくは、この凹溝の形状を特定し、更には、短ラグの両端と長ラグの前後面とにて囲まれたゴムクロ−ラの外周面を、ゴムクロ−ラの幅端に近づくにつれて順次接地面より高くしたいわゆる皿型クロ−ラに特に最適な構成としたものである。
【００１４】
即ち、特徴的に言えば、主として湿田や水田等にて用いられるゴムクロ−ラの外周面に直線状の長ラグと短ラグとが交互に配置されるとともに、この間に短ラグの幅方向長さを超えない範囲で、ゴムクロ−ラの幅方向に向けて少なくとも１以上の凹溝を、好ましくはラグ根元部に形成したものであり、凹溝の１つ当りのゴムの長手方向の溝幅をｔとし、前記長ラグ及び短ラグの間隔をＴとした時、０．５≧ｔ／Ｔ≧０．１５としたものである。ｔ／Ｔの値が、０．１５以下では効果が少なく、０．５以上では逆に凹溝内に泥土が詰まってしまって有効でなくなる。
【００１５】
直線状の長ラグにあっては、連続又は不連続に形成されたラグであり、その左右の先端はゴムクロ−ラの幅端にまで至る形状とするのが好ましく、短ラグはこの長ラグのほぼ中央に形成されるものである。しかるに、かかるこれらのラグが形成されたゴムクロ−ラの特に中央部にあっては、比較的ゴムクロ−ラの剛性が高く、スプロケット等に巻き掛けされた際にもその剛性によってラグの間が広がらずゴムクロ−ラの外表面にもさほど変化がなく、ほぼ一定の状態が保たれるものであり、一旦ここに泥等が詰まってしまった場合にはこれが落ちにくい構造となっている。
【００１６】
長ラグと短ラグを交互に配置した皿型クローラにて泥等の詰まりを更に説明すれば、長ラグの前後面と短ラグの先端外側にて囲まれた部位は２倍のラグピッチとしてあるために泥等が落ちやすく、しかも皿型であるために推進力が上がるが、長ラグと短ラグとが交互に位置するゴムクロ−ラの中央部にてはその間隔が１ピッチであり、しかもラグが多く備えられていることから、その剛性は幅方向の端部よりも極めて高くなる。このため、ゴムクロ−ラがスプロケット等に巻き掛けされた際でもラグ間がそれほど開かず、又、ゴムクロ−ラの外表面にも変化がないため、詰まってしまった泥等には余り影響がなく、ほとんど落下しないまま使用に供されることとなるのが現状である。
【００１７】
本発明はかかる欠点を改良するためになされたものであり、このラグ間に必要最小限の凹溝を形成してゴムクロ−ラの巻き掛け時になるべくラグ間を開きやすく、ゴムクロ−ラの外表面を変化（凹溝の変形）させるものであり、これによってラグ間に詰まってしまっている泥等を浮かせ、脱落しやすくしたものである。尚、ラグ剛性の低下からくるラグ自体の動きやすさから、泥が落ちやすくなることにもなる。
【００１８】
適用されるゴムクロ−ラの好適例としては、短ラグの両端と長ラグの前後面とにて囲まれたゴムクロ−ラの外周面を、ゴムクロ−ラの幅端に近づくにつれて順次接地面より高くしたいわゆる皿型ゴムクロ−ラであり、或いは長ラグがゴムクロ−ラの左右幅よりも突出するいわゆるはしご型ゴムクロ−ラに好適に採用されるものである。尚、本発明のゴムクロ−ラを更に最適化するためには長ラグ及び短ラグと芯金とは平面投影方向にて重複するのがよい。本発明の適用にあっては、ゴムクロ−ラ中に芯金の埋設の有無は問わないことは言うまでもない。
【実施例】
【００１９】
以下、本発明のゴムクロ−ラを図面をもって更に詳細に説明する。図１は本発明の最適化されたゴムクロ−ラの外周面平面図、図２は内周面平面図、図３は側面図である。又、図４はＡ−Ａ線断面図、図５はＢ−Ｂ線端面図である。
【００２０】
図においてゴムクロ−ラを形成する無端状ゴム弾性体１中に一定ピッチをもって芯金２が埋設されており、この芯金２を外囲いしてスチ−ルコ−ド３がこれ又ゴム中に埋設されている。そして、この芯金１からはゴム弾性体１の内周面に一対の突起４、４が突出し、これが転輪やスプロケットとの係合に供されるもので、この突起４、４にはさまれた芯金２の中央部はスプロケット係合部５を構成している。そしてこのスプロケット係合部５、５間にはスプロケット係合孔６が形成されている。
【００２１】
そして、この芯金２に対応するゴム弾性体１の外周面１０にはゴム弾性体１の幅方向に伸びる長ラグ７及び短ラグ８が交互に配置されている。この長ラグ７はこの例ではゴム弾性体１の幅端縁に至る長さとされ、短ラグ８の端部におけるゴム弾性体１外周面１０は端縁に近づくにつれて内周側にそっており、長ラグ７から見れば、端縁に近づくにつれてその背丈が順次高くなっているいわゆる皿型ゴムクロ−ラを構成している。図例のゴムクローラにあっては、ゴム弾性体１における幅端縁にゴム弾性体１の長手方向にリブ９が形成されて補強がなされている。
【００２２】
さて、本発明の第１を図１、図４及び図５にて示すが、長ラグ７及び短ラグ８の間のゴムクロ−ラの外周面１０の中央に幅方向に伸びるほぼ短ラグ８の長さと同様の凹溝２０をスプロケット係合孔６の左右に形成したものである。凹溝２０の深さは２〜１０ｍｍであり、この例では６ｍｍであった。又、凹溝２０の幅ｔは５〜１０ｍｍであり、この例では５ｍｍであった。ラグ７、８の中心間の距離は通常７０〜１００ｍｍ程度であり、この例では９０ｍｍであった。ラグ７、８の根元部の幅Ｔは５０〜８０ｍｍ程度であり、ここでは６５ｍｍであった。
【００２３】
この例にあって、ゴムクロ−ラは図示しないスプロケットやアイドラ−に巻き掛けされて曲げられ、この間でラグ７、８間に詰まった泥等が剥離して落下することとなるが、通常の構造、即ち凹溝２０がないゴムクロ−ラにあっては、ゴムクロ−ラの外周面１０の伸びがほとんどなく、このため、詰まった泥をゴムクロ−ラの外周面１０より浮かせるような力はほとんど働かない。しかるに、本発明の凹溝２０を外周面１０にもつゴムクロ−ラは、曲げられた際に凹溝２０の周長分だけ外周面１０の変形が従来のゴムクロ−ラよりも大きく、これによって泥とこれが接触しているゴムクロ−ラの外周面１０との間にずれや隙間がもたらされ、結果として泥がゴムクロ−ラの外周面１０より浮き上がることとなり、泥の落下が促されることとなる。
【００２４】
図６は本発明の第２を示す外周面平面図であり、前記と同様の凹溝２０をスプロケット係合孔６の一方側の外周面１０に形成したものである。
【００２５】
図７は本発明の第３を示す外周面平面図であり、前記と同様の凹溝２０を第１例と同様にスプロケット係合孔６の両側に形成するが、その両者は前後方向にずらされて千鳥状に形成された例である。
【００２６】
図８は本発明の第４を示す外周面平面図であり、前記と同様の凹溝２０をスプロケット係合孔６の左右に２本づつ形成したものである。
【００２７】
図９は本発明の第５を示す外周面平面図であり、凹溝２０をスプロケット係合孔６の左右で傾斜配置してなるものである。
【００２８】
図１０は本発明の第６を示す外周面平面図であり、図１１は前記図５と同様の端面図である。前記と同様の凹溝２０をスプロケット係合孔６の左右に２本ずつ形成したものであるが、凹溝２０は夫々のラグ７、８の根元近傍に形成したものである。この場合には、上記した機能と共に、或いはこれとは別にラグ７、８に若干の揺動が生じ、これによってラグ７、８間の泥が浮き上がる機能ももたらされる。
【産業上の利用可能性】
【００２９】
本発明は以上の構成を有するものであり、ラグ間に詰まった泥等を効果的に落下させることが可能となったものである。又、上記例にあっては、いずれも芯金がゴム中に埋設されたゴムクロ−ラをもって説明したが、本発明はこれに限ることではなく、芯金が埋設されていないいわゆる芯金レスゴムクロ−ラにも適用できることは言うまでもない。
【図面の簡単な説明】
【００３０】
【図１】図１は本発明の最適化されたゴムクロ−ラの第１例の外周面平面図である。
【図２】図２は図１の内周面平面図である。
【図３】図３は図１の側面図である。
【図４】図４はＡ−Ａ線断面図である。
【図５】図５はＢ−Ｂ線端面図である。
【図６】図６は本発明のゴムクロ−ラの第２例の外周面平面図である。
【図７】図７は本発明のゴムクロ−ラの第３例の外周面平面図である。
【図８】図８は本発明のゴムクロ−ラの第４例の外周面平面図である。
【図９】図９は本発明のゴムクロ−ラの第５例の外周面平面図である。
【図１０】図１０は本発明のゴムクロ−ラの第６例の外周面平面図である。
【図１１】図１１は図１０における図５と同様の端面図である。
【符号の説明】
【００３１】
１‥ゴム弾性体、
２‥芯金、
３‥スチ−ルコ−ド、
４‥突起、
５‥スプロケット係合部、
６‥スプロケット係合孔、
７‥長ラグ、
８‥短ラグ、
９‥リブ、
１０‥ゴムクロ−ラの外周面、
２０‥凹溝、
ｔ‥凹溝の幅、
Ｔ‥長ラグと端ラグとの根元部の幅。
【図１】
2007131032.tif 000003
【図２】
2007131032.tif 000004
【図３】
2007131032.tif 000005
【図４】
2007131032.tif 000006
【図５】
2007131032.tif 000007
【図６】
2007131032.tif 000008
【図７】
2007131032.tif 000009
【図８】
2007131032.tif 000010
【図９】
2007131032.tif 000011
【図１０】
2007131032.tif 000012
【図１１】
2007131032.tif 000013